(57)【要約】【課題】  立体商品見本を並べて展示する商品展示棚に装着されて、上記立体商品見本に代えてシート状商品見本を見栄え良く、しかも安定に保持して展示することのできるシート状商品見本の装着用アダプタを提供する。【解決手段】  商品展示棚の前端面と略同一面をなして連なる前面を形成して該商品展示棚に装着される透光性を有したアダプタ本体と、このアダプタ本体の前面上端縁に沿って設けられて該アダプタ本体の前面に位置付けられるシート状商品見本の上端を保持する溝を形成した係止部とを具備し、前記商品展示棚に装着されたアダプタ本体の前面に沿って位置付けられる前記シート状商品見本を、前記係止部と前記商品展示棚の前端面の下部に形成された受け溝との間に挟み込んで保持するように構成した。【選択図】      図２
2005332254.tif 000002
【特許請求の範囲】
【請求項１】
自動販売機における商品見本展示部の商品展示棚に装着されるアダプタであって、
前記商品展示棚の前端面と略同一面をなして連なる前面を形成して該商品展示棚に装着される透光性を有したアダプタ本体と、
このアダプタ本体の前面上端縁に沿って設けられて該アダプタ本体の前面に位置付けられるシート状商品見本の上端を保持する溝を形成した係止部とを具備し、
前記商品展示棚に装着されたアダプタ本体の前面に沿って位置付けられる前記シート状商品見本を、前記係止部と前記商品展示棚の前端面の下部に形成された受け溝との間に挟み込んで保持することを特徴とするシート状商品見本の装着用アダプタ。
【請求項２】
前記アダプタ本体は、前記商品展示棚の前端面に設けられて該商品展示棚に載置される立体商品見本の前面位置を規制する押さえ板の上端に係合する段差部をその前面の下部に備えると共に、前記商品展示棚に載置される立体商品見本をその背面側から支持する箱状の展示棚本体の上端に係合する係合突起をその背面部に備えた構造を有する請求項１に記載のシート状商品見本の装着用アダプタ。
【請求項３】
前記アダプタ本体は、その上部側を広く開口した凹状または樋状の合成樹脂製の成形体からなり、複数個重ねて収納可能な形状を有するものである請求項１に記載のシート状商品見本の装着用アダプタ。
【発明の詳細な説明】
【技術分野】
【０００１】
本発明は、販売機本体の前面に設けられた前扉に組み込まれた商品展示装置における商品展示棚に装着され、商品展示棚に展示される立体商品見本に代えてシート状商品見本を展示するに好適なシート状商品見本の装着用アダプタに関する。
【背景技術】
【０００２】
たばこ等のパッケージ商品の自動販売機は、通常、箱形の販売機本体の前面部に設けた前扉の前面に、商品見本展示部（商品見本展示装置）や、この商品見本展示部に展示された商品見本を選択的に指定する商品選択釦、更には金銭投入口や釣り銭払出口等を設けて構成される（例えば特許文献１を参照）。商品見本展示部は、販売対象とするパッケージ商品（例えばたばこ）の見本を並べて展示する複数段の商品展示棚を備えたもので、商品選択釦は上記各商品見本展示棚に展示される複数の商品見本に対応付けて設けられる。そして自動販売機は、上記商品選択釦が選択的に押圧操作されたとき、その商品選択釦が対応付けられた商品見本により特定されるパッケージ商品を選択的に払い出すものとなっている。
【０００３】
尚、たばこ等の箱形のパッケージ商品は、商品種別（銘柄）毎に分類されて販売機本体の内部に設けられた複数列の商品コラムにそれぞれ積み重ねて収納される。
【特許文献１】特開２００２−２７９４９７号公報
【発明の開示】
【発明が解決しようとする課題】
【０００４】
ところで前述した商品見本展示部に展示する商品見本は、専ら、商品の外観（形状・デザイン）を模して製作されたプラスチック製の立体商品見本（立体ダミー）として提供される。尚、立体商品見本が提供されない場合には、パッケージ商品そのものを見本として前記商品見本展示部に展示する場合もある。しかしこの種の立体商品見本（立体ダミー）を商品種別（銘柄）毎に準備するには多大な経費が嵩むことが否めない。またパッケージ商品そのものを見本として用いた場合、当該商品を販売することができないと言う不具合がある。
【０００５】
そこでプラスチック等からなるシート状の薄板に商品イメージを印刷した安価なシート状商品見本（フィルムダミー）を前述した商品見本展示部に展示することが考えられている。しかしながら従来の自動販売機における商品展示部は、複数の立体商品見本（立体ダミー）を並べて展示するように構成されているだけなので、シート状商品見本（フィルムダミー）を如何にして見栄え良く、しかも安定に保持して展示するかと言う点で幾つかの問題を有している。
【０００６】
本発明はこのような事情を考慮してなされたもので、その目的は、立体商品見本を並べて展示する商品展示棚に装着されて、上記立体商品見本に代えてシート状商品見本を見栄え良く、しかも安定に保持して展示することのできるシート状商品見本の装着用アダプタを提供することにある。
【課題を解決するための手段】
【０００７】
上述した目的を達成するべく本発明に係るシート状商品見本の装着用アダプタは、自動販売機における商品見本展示部の商品展示棚に装着されるものであって、
<ａ>  前記商品展示棚の前端面と略同一面をなして連なる前面を形成して該商品展示棚に装着される透光性を有したアダプタ本体と、
<ｂ>  このアダプタ本体の前面上端縁に沿って設けられて該アダプタ本体の前面に位置付けられるシート状商品見本の上端を保持する溝を形成した係止部とを具備し、
<ｃ>  前記商品展示棚に装着されたアダプタ本体の前面に沿って位置付けられる前記シート状商品見本を、前記係止部と前記商品展示棚の前端面の下部に形成された受け溝との間に挟み込んで保持するように構成したことを特徴としている。
【０００８】
好ましくは請求項２に記載するように前記アダプタ本体を、前記商品展示棚の前端面に設けられて該商品展示棚に載置される立体商品見本の前面位置を規制する押さえ板の上端に係合する段差部をその前面の下部に備えると共に、前記商品展示棚に載置される立体商品見本をその背面側から支持する箱状の展示棚本体の上端に係合する係合突起をその背面部に備えた構造として実現する。更には請求項３に記載するように前記アダプタ本体を、その上部側を広く開口した凹状または樋状の合成樹脂製の成形体からなり、複数個重ねて収納可能な形状を有するものとして実現することが望ましい。
【発明の効果】
【０００９】
上述した構造のシート状商品見本の装着用アダプタによれば、透光性を有するアダプタ本体を商品展示棚に装着するだけで、該アダプタ本体の前面が前記商品展示棚の前端面と略同一面をなして連なり、上記アダプタ本体の前面上端縁に沿って設けられた溝からなる係止部と前記商品展示棚の前端面の下部に形成された受け溝との間に、前記アダプタ本体の前面に位置付けられたシート状商品見本の上下端を挟み込んで保持するので、シート状商品見本を商品展示棚の前端部に、簡易に、しかも体裁良く位置付けるとができる。しかも装着用アダプタの構造が簡単であり、またプラスチック成形品等として安価に製作することができるので、自動販売機の標準的な備品（付属品）として準備しておくことも容易である等の利点がある。
【００１０】
また請求項２に示すようにアダプタ本体を、その前面下部に前記商品展示棚における立体商品見本の押さえ板の上端に係合する段差部を備え、その背面部に箱状の展示棚本体の上端に係合する係合突起を備えた構造として実現すれば、商品展示棚上にシート状商品見本の装着用アダプタを確実に、しかも安定に装着することができる。従って商品展示棚に装着した上記アダプタによるシート状商品見本の保持も安定化することができる等の効果が奏せられる。
【００１１】
また請求項３に記載するように前記アダプタ本体を、その上部側を広く開口した凹状または樋状の合成樹脂製の成形体として実現すれば、アダプタ本体を使用しない場合には、複数個のアダプタを重ねてコンパクトに収納することが可能となり、自動販売機の限られた空き空間に保管するのに好適である。
【発明を実施するための最良の形態】
【００１２】
以下、図面を参照して本発明の一実施形態に係る自動販売機の商品展示装置について、たばこ（シガレット）の自動販売機を例に説明する。
図１はこの実施形態に係る自動販売機の外観とその概略的な内部構造を示す斜視図で、１はその内部に複数種の商品（たばこ）を銘柄別に分類して収納した、例えば高さ約１８０ｃｍ，幅約８０ｃｍ、奥行き約５０ｃｍの箱形の販売機本体であり、２はその前面部に開閉自在に設けられた前扉である。この前扉２の前面には、図１(ａ)に示すように販売対象とする複数の商品見本を展示する商品見本展示部３、およびこの商品見本展示部３に展示された商品を選択的に指定する為の複数の商品選択釦４が設けられている。
【００１３】
上記商品見本展示部３は、複数種の商品見本（ダミー）を載置して展示する複数段の商品展示棚を備え、その前面部を透明なアクリル板等により覆ったものである。また前記商品選択釦４は上記各商品展示棚に展示された商品見本（ダミー）にそれぞれ対応付けて前記前扉２の前面側から押圧操作可能に、前記各商品展示棚の前端部にそれぞれ設けられている。尚、この図１(ａ)に示す自動販売機においては、前扉２の前面上端部に該自動販売機の略全幅に跨る幅広の商品展示棚が１段設けられ、前扉２の前面左側の部位には該自動販売機の略１／２幅の幅狭の商品展示棚が上下７段に亘って設けられており、計４９個の商品見本を展示可能な商品見本展示部３が構成されている。
【００１４】
また前扉２の前面における略中央高さ位置の右側領域には、コイン投入口５ａ，紙幣投入口５ｂ，投入金額等を表示する表示器５ｃ、および釣り銭返却レバー５ｄ等からなる金銭処理機構５が設けられている。更に前記前扉２の前面における低部位置には、前記商品選択釦４の選択的（択一的）な操作に伴って販売機本体１から選択的に払い出された商品を取り出す為の商品取出口６や釣り銭返却口７、更には前扉２の開閉レバー８等が設けられている。
【００１５】
そして前記前扉２における上記金銭処理機構５の上部には窓部が設けられており、この窓部には広告ユニット１０が組み込まれるようになっている。この広告ユニット１０は、立体商品見本を左右に揺動させるメカニカル機構を組み込んだり、或いは立体商品見本をその裏面側から照明する照明装置を組み込んだものである。更にこの広告ユニット１０の組み込み位置（窓部）の近傍、特にその下部位置には上記広告ユニット１０に展示された商品見本を選択的に指定する為の補助商品選択釦１１（この例では３個）が設けられている。この補助商品選択釦１１は、前述した商品選択釦４と共に一括して管理されるもので、商品選択釦４および補助商品選択釦１１の中の１つを選択的に押圧操作することで販売（購入）商品の指定が行われる。
【００１６】
尚、前記前扉２は、図１(ｂ)に示すように販売機本体１の前端部右側を回動支点として左開きに開閉自在に設けられている。更にこの前扉２の裏面側には図１(ｃ)に示すように該前扉２の裏面側を開放可能に中扉９が設けられている。特にこの中扉９は、前扉２の裏面奥部（販売機本体１の右側）を回動軸として、前扉２を開けた状態においてだけその裏面側に開閉し得るように設けられている。そして前述した広告ユニット１０は、上記中扉９を開けた状態において前扉２の裏面側から、該前扉２に開口された窓部に嵌め込むようにして装着されるようになっている。
【００１７】
また図１(ｂ)に前扉２を開けた状態を示すように、販売機本体１の内部にはパッケージ商品（たばこ）を銘柄別に分類して積み重ねて収納する複数列の商品コラム１ａが多段に設けられており、更に中扉９にも複数列の商品コラム９ａが多段に設けられている。これらの商品コラム１ａ,９ａは前扉２を閉じたときに所定の間隔を隔てて平行に対峙し、これらの商品コラム１ａ,９ａ間に形成される空間部を上記各商品コラム１ａ,９ａから選択的に払い出された商品（たばこ）を前記商品取出口６に導く為の商品ガイド（中央シュート）として形成するものとなってる。
【００１８】
更には図１(ｃ)に中扉９を開けた状態を示すように、前記中扉９の内側面、つまり商品コラム９ａの裏面側には前述した商品展示棚３ａが多段に設けられている。これらの商品展示棚３ａへの商品見本の載置（展示）等は、この図１(ｃ)に示すように中扉９を開けて行われる。また前述した広告ユニット１０の前扉２への装着も、上述したように中扉９を開けた状態で前記前扉２の裏側から行われる。
【００１９】
ここで上述した商品展示棚３ａについて簡単に説明すると、この商品展示棚３ａは、図３に示すように前述した中扉９に取り付けられる箱形の基体３１を主体とした合成樹脂製のユニットからなる。特にこの商品展示棚３ａは、概略的には上記基体３１の前面下部にその前面側に突出させて、例えば４個の立体商品見本Ｓを並べて載置可能な受け棚３２を形成し、更にこの受け棚３２の前端部に所定の高さの板状の商品受け部３３を形成した形状を有する。
【００２０】
また前記箱形の基体３１の前面には、前記受け棚３２の上方に位置して前記商品受け部３３側に突出する複数の商品押さえ片（舌片）３４が切欠き形成されている。特にこれらの商品押さえ片３４は、前記基体３１に連接した上端部を支点として弾性変形可能な弾性片として設けられている。このような弾性片からなる商品押さえ片３４は、前記受け棚３２上に載置された立体商品見本Ｓを前記商品受け部３３との間に挟み込んで前記受け棚３２上に安定に保持する役割を担う。更に前記板状の商品受け部３３の前面下部には、後述するシート状商品見本（フィルムダミー）Ｆを保持する為の受け溝３８が形成されている。特にこの受け溝３８は、前記商品受け部３３の前面下端部に突出して設けられた肉厚部の上面に形成された、前記商品受け部３３の前面に連なるスリット状の溝として設けられている。
【００２１】
尚、このような合成樹脂製（プラスチック製）の商品展示棚３ａは、例えば図３に示すように前記基体３１の背面に突出形成したフック３５を前記中扉９に形成した展示棚取付孔９ｂに嵌め込むことで該中扉９に装着される。また前記基体３１の下部には、その前後方向に進退自在にスライド体３６が組み付けられており、このスライド体３６の前端部には、価格ラベル（図示せず）を収納する為のスリット状のラベルホルダ３７が設けられている。このラベルホルダ３７への価格ラベルの収納は、スライド体３６を前記受け棚３２の前面側に引き出すことによって行われる。
【００２２】
このようにラベルホルダ３７をスライド体３６の前端部に設けることで、商品展示棚３ａ上に展示した立体商品見本Ｓの価格ラベルを適格に提示する機能を損なうことなしに、後述するように立体商品見本Ｓに代えてシート状商品見本の装着用アダプタ５０を商品展示棚３ａに装着し、この装着用アダプタ５０を用いて前述した受け溝３８との間にシート状商品見本（フィルムダミー）Ｆを装着（展示）した場合であっても、該シート状商品見本Ｆにより示される商品の価格を上記価格ラベルを用いて確実に提示することが可能となる等の効果が奏せられる。
【００２３】
さて本発明に係るシート状商品見本の装着用アダプタは、上述した自動販売機における商品見本展示部３の上述した商品展示棚３ａに立体商品見本（立体ダミー）に代えて装着されて、商品見本イメージ等を印刷したシート状商品見本（フィルムダミー）Ｆの保持（装着）に用いられるものである。特にこの実施形態に係るシート状商品見本の装着用アダプタ５０は、例えば図２に示すように４個の立体商品見本を並べて載置する上述した構成の商品展示棚３ａの横幅と略等しい幅を有する合成樹脂製（プラスチック製）の一体成形部品からなる。特にこの装着用アダプタ５０は、前述した商品展示棚３ａの基体３１の前面上端部と、板状の商品受け部３３の上端部との間に掛け渡されて該商品展示棚３ａに装着されるようになっている。
【００２４】
即ち、このシート状商品見本の装着用アダプタ５０は、例えば乳白色の半透明なプラスチック製の部品からなる。この装着用アダプタ５０の主体部をなすアダプタ本体５１は、ロート状にその下端部を絞り込んだ四角形状の４個の枠体を横方向に並べて、その上端部を一列に連接した凹状の形状を有する。特にこれらの４個の枠体は、その前面部を同一平面上に位置付けて平行に設けられており、後述するように前記商品展示棚３ａにおける板状の商品受け部３３との間でシート状商品見本（フィルムダミー）Ｆの保持面を形成するものとなっている。
【００２５】
また上記アダプタ本体５１の前面部の上端は、その前面側に突出した肉厚部として形成されており、この肉厚部の下面側には該アダプタ本体５１の上述したシート状商品見本（フィルムダミー）Ｆの保持面をなす前面部に連なる溝５２が形成されている。更に上記アダプタ本体５１の前面部の下端側は、前記商品展示棚３ａにおける板状の商品受け部３３の厚みに相当する分だけ内側に段差５３を形成して凹んだ凹み部５４として形成されている。この凹み部５４は、装着用アダプタ５０を商品展示棚３ａに装着する際、前記商品受け部３３の内側に沿って位置付けられて前記段差５３を前記商品受け部３３の上端部に係合させ、前記段差５３と協働して該装着用アダプタ５０の下端側を商品展示棚３ａ上に位置決めする役割を担っている。
【００２６】
一方、前記アダプタ本体５１の後ろ側に傾斜する背面部の上端には、該アダプタ本体５１の後ろ側に突出するフランジ５５が設けられている。このフランジ５５は、装着用アダプタ５０を商品展示棚３ａに装着した際、前記商品展示棚３ａにおける基体３１の前面上端部に載置されて該アダプタ本体５１の装着姿勢を規制する役割を担う。特にこのフランジ５５の先端部は、前記基体３１の上面に突出形成された弾性フック３９と係合可能に設けられている。このフランジ５５と弾性フック３９との係合によって、前述したように前記段差５３を前記商品受け部３３の上端部に係合させた装着用アダプタ５０が押さえ込まれて前記商品展示棚３ａから脱落不能に安定に保持されることになる。
【００２７】
このような構造を有するシート状商品見本の装着用アダプタ５０は、図３に示すようにアダプタ本体５１の前面下部に設けられた段差５３を商品展示棚３ａにおける板状の商品受け部３３の上端部に係合させ、更にフランジ５５を商品展示棚３ａの基体５１上に載置して弾性フック３９に係合させることにより商品展示棚３ａに対して取り外し不能に装着される。この装着状態において装着用アダプタ５０の前面部が、商品展示棚３ａの商品受け部３３の前面と同一面をなして連なることになる。そして装着用アダプタ５０の前面上端に設けられた溝５２と、商品展示棚３ａにおける商品受け部３３の前面に設けられた受け溝３８とが互いに対峙することになる。
【００２８】
従ってシート状商品見本（フィルムダミー）Ｆを撓ませながら、その上端部と下端部とを上述した溝５２と受け溝３８とにそれぞれ差し込めば、これらの溝５２,３８によってシート状商品見本（フィルムダミー）Ｆが装着用アダプタ５０の前面部から商品受け部３３の前面部に掛けた領域に、つまり商品見本棚３ａの前面部に安定に保持されることになる。即ち、シート状商品見本（フィルムダミー）Ｆは、例えば０.１〜０.２ｍｍ程度の厚みを有するＰＰ（ポリプロピレン）やＰＥＴ（ポリエチレン・テフタレート）等のプラスチック（合成樹脂材）により構成されるので、その弾性的な撓みを利用することで上記溝５２と受け溝３８との間に容易に装着することが可能となる。
【００２９】
尚、商品見本棚３ａ上から装着用アダプタ５０を取り外す場合には、先ずその前面に装着したシート状商品見本（フィルムダミー）Ｆを取り外し、その後、基体３１の上面に設けられた弾性フック３９を撓ませてフランジ５５との係合を解除し、この状態で装着用アダプタ５０を持ち上げれば良い。このようにして装着用アダプタ５０を取り外せば、図４に示すように、再び商品見本棚３ａ上に立体商品見本（立体ダミー）Ｓを載置することが可能となる。また価格ラベルを装着・交換する場合には、図４に示すようにスライド部材３６を商品見本棚３ａの前面側に引き出して行えば良い。
【００３０】
ところでシート状商品見本Ｆの装着用アダプタ５０は、前述したようにロート状に下端部を絞り込んだ四角形状の４個の枠体を横方向に並べて、その上端部を一列に連接した形状のアダプタ本体５１を主体として構成される。つまりアダプタ本体５１を構成する４個の枠体は、それぞれ上方に向けてテーパ状に幅広く開口し、その外観形状とほぼ等しい内部空間を形成した形状を有している。これ故、例えば図５に示すように複数の装着用アダプタ５０を、アダプタ本体５１の上面側である内部空間内に嵌め込みながら順次積み重ねていくことができる。従って商品見本棚３ａから取り外した複数の装着用アダプタ５０を保管する場合、図５に示すようにこれらの装着用アダプタ５０を順次積み重ねることでコンパクトにまとめることができるので、例えば自動販売機本体１内の限られた空きスペースに保管するに好適である。
【００３１】
またシート状商品見本Ｆの装着用アダプタ５０は、半透明のプラスチックにて一体成形することが容易なので、その製作コストを安く抑えることが容易であり、既設の自動販売機に対する備品として提供することも容易である。更には例えば乳白色の半透明な素材を用いて装着用アダプタ５０を形成することで、商品展示部３内に組み込まれた照明装置を利用してシート状商品見本Ｆを透過照明するに適している等の効果が奏せられる。
【００３２】
尚、本発明は上述した実施形態に限定されるものではない。例えば実施形態においては４個の枠体を横並びに連ねてアダプタ本体５１を構成したが、横方向に長い樋状の形状をなすアダプタ本体として実現することもできる。またアダプタ本体５１の前面をフラットな面として形成し、装着用アダプタ５０を商品受け部３３の裏面側に落とし込ん受け棚３２上に載置するように構成することも可能である。その他、本発明はその要旨を逸脱しない範囲で種々変形して実施することができる。
【図面の簡単な説明】
【００３３】
【図１】たばこの自動販売機の概略的な構成を示す図。
【図２】本発明の一実施形態に係るシート状商品見本の装着アダプタの外観形状と、商品展示棚への装着形態を示す図。
【図３】シート状商品見本の装着アダプタを商品展示棚に装着した状態を示す図。
【図４】商品展示棚への立体商品見本の展示形態を示す図。
【図５】シート状商品見本の装着アダプタの積み重ね収納形態を示す図。
【符号の説明】
【００３４】
３ａ  商品見本棚
３１  基体
３２  受け棚
３３  商品受け部
３４  商品押さえ片
３８  受け溝
３９  弾性フック
５０  装着アダプタ
５１  アダプタ本体
５２  溝
５３  段差
５４  凹み部
５５  フランジ
【図１】
2005332254.tif 000003
【図２】
2005332254.tif 000004
【図３】
2005332254.tif 000005
【図４】
2005332254.tif 000006
【図５】
2005332254.tif 000007